(57)【要約】【課題】高精度なスキュー調整を行え、部品数の増加を抑制でき、小型化を達成することが可能な光ディスク装置を提供する。【解決手段】光ピックアップ６８を支持し、その移動をガイドするガイド軸７０Ａ、７０Ｂと、ガイド軸７０Ａ、７０Ｂが取付けられるシャーシ６０と、シャーシ６０に取付けられ、ガイド軸７０Ａ、７０Ｂの端部を付勢するコイルバネ８１と、ガイド軸７０Ａ、７０Ｂを挟んでコイルバネ８１と反対側に配設され、コイルバネ８１の付勢力を調整する調整ネジ７６、７７、７８と、シャーシ６０に取付けられた質量付加用部材９０を有し、質量付加用部材９０に調整ネジ７６、７７が各々螺合する雌ネジ９２を形成し、雌ネジ９２に螺合した調整ネジ７６、７７の軸芯と、ガイド軸７０Ａ、７０Ｂの軸芯に対し垂直な断面の中心と、コイルバネ８１の軸芯を、同一線上に位置させた光ディスク装置１である。【選択図】図１０
2008210478.tif 000002
【特許請求の範囲】
【請求項１】
光ピックアップにより光ディスクの情報記録面に対し信号の記録、再生の少なくとも一方を行う光ディスク装置であって、
前記光ピックアップを支持し且つ当該光ピックアップの移動をガイドするガイド軸と、
前記ガイド軸が取付けられるシャーシと、
前記シャーシに取付けられ、前記ガイド軸の端部を、該ガイド軸の軸芯方向に対し略垂直な方向に付勢する付勢部材と、
前記ガイド軸を挟んで、前記付勢部材とは反対側に配設され、当該付勢部材の付勢力を調整する調整ネジと、
前記シャーシに取付けられ、当該シャーシに質量を付加する質量付加用部材と、
を有し、
前記質量付加用部材に前記調整ネジが螺合する雌ネジを形成し、当該雌ネジに螺合した調整ネジの軸芯と、前記ガイド軸の軸芯に対し垂直な断面の中心と、前記付勢部材の付勢方向に平行な中心線とが、同一線上に位置してなる光ディスク装置。
【請求項２】
前記信号の記録、再生の少なくとも一方を行う記録・再生位置まで前記光ディスクを載置して搬送するトレイを有し、当該トレイは、該トレイが前記光ディスクを当該記録・再生位置に搬送した際に、前記調整ネジを受領可能な凹部を有してなる請求項１記載の光ディスク装置。
【請求項３】
前記シャーシに、前記付勢部材を収容するブラケットを配設し、当該ブラケットに、当該付勢部材と係合して当該付勢部材を係止する係止部材を設けてなる請求項１記載の光ディスク装置。
【請求項４】
前記ガイド軸を２本備え、当該２本のガイド軸を互いに間隔をおいて略平行に配設し、
一方のガイド軸は、一方の端部を支点として前記シャーシに対し揺動可能に固定され、他方の端部が前記付勢部材と調整ネジとで挟持されてなり、
他方のガイド軸は、両端部が前記付勢部材と調整ネジとで挟持され、
前記質量付加用部材は、前記一方のガイド軸の他方の端部と、前記他方のガイド軸の、当該一方のガイド軸の他方の端部と対向配置された端部とが配置される領域に取付けられてなる請求項１記載の光ディスク装置。
【請求項５】
前記ブラケットは、前記ガイド軸の端部と前記付勢部材を収容し且つ前記雌ネジと連通し、当該雌ネジに螺合した調整ネジが進退可能な収容空間を有するブラケット本体と、当該ブラケット本体の付勢部材が配設される側の端部に配設され、前記収容空間を閉鎖するカバーと、を備え、当該カバーに前記係止部材を配設してなる請求項３記載の光ディスク装置。
【発明の詳細な説明】
【技術分野】
【０００１】
本発明は、光ピックアップを支持し且つ当該光ピックアップの移動をガイドするガイド軸の傾きを調整するスキュー調整機構を備えた光ディスク装置に関する。
【背景技術】
【０００２】
従来、光ディスク装置、特にブルーレイディスク等に対応する光ディスク装置では、高精度のチルト調整を行うことが要求されており、光ピックアップから照射された出射光と入射光がディスク面に対して垂直になって出入りできるように、光ピックアップを支持するガイド軸を傾けて調整するスキュー調整機構を備えている。このようなスキュー調整機構としては、前記ガイド軸を弾性体と調整ネジで挟持し、当該調整ネジのネジ込み量により当該ガイド軸の傾きを調整するものがある。（例えば、特許文献１〜４参照）。
【特許文献１】特開２００４−３５５７７１号公報
【特許文献２】特開２００４−２３４７９８号公報
【特許文献３】特開平１１−２３８２３２号公報
【特許文献４】ＷＯ  ０１／９７２２２号公報
【発明の開示】
【発明が解決しようとする課題】
【０００３】
前述した従来のスキュー調整機構は、ガイド軸の一端と、当該ガイド軸の一端を挟持する弾性体及び調整ネジを収容するブラケットと、このブラケットの上面（または下面）に載置され、前記調整ネジが螺合する雌ネジが形成された調整ネジ受け板をシャーシに固定する、或いは、前記調整ネジが螺合する雌ネジをシャーシに形成した構成を有している。しかしながら、前記調整ネジ受け板をシャーシに固定したスキュー調整機構は、既存の部品に加え、前記調整ネジ受け板を別途用意する必要があり、その分の部品点数が増加してしまう。
【０００４】
また、スキュー調整機構は、ガイド軸の傾きを変更するため、前記調整ネジをその軸芯方向に移動させる必要がある。このため、シャーシに前記雌ネジを形成したスキュー調整機構では、当該シャーシに、前記調整ネジが移動するために必要な移動距離（絞り高さ）を確保可能な厚さを持たせる必要がある。
【０００５】
本発明は、このような事情に鑑みなされたものであり、高精度なスキュー調整を行えることは勿論のこと、部品数の増加を抑制でき、小型化を達成することが可能な光ディスク装置を提供することを目的とする。
【課題を解決するための手段】
【０００６】
この目的を達成するため本発明は、光ピックアップにより光ディスクの情報記録面に対し信号の記録、再生の少なくとも一方を行う光ディスク装置であって、前記光ピックアップを支持し且つ当該光ピックアップの移動をガイドするガイド軸と、前記ガイド軸が取付けられるシャーシと、前記シャーシに取付けられ、前記ガイド軸の端部を、該ガイド軸の軸芯方向に対し略垂直な方向に付勢する付勢部材と、前記ガイド軸を挟んで、前記付勢部材とは反対側に配設され、当該付勢部材の付勢力を調整する調整ネジと、前記シャーシに取付けられ、当該シャーシに質量を付加する質量付加用部材と、を有し、前記質量付加用部材に前記調整ネジが螺合する雌ネジを形成し、当該雌ネジに螺合した調整ネジの軸芯と、前記ガイド軸の軸芯に対し垂直な断面の中心と、前記付勢部材の付勢方向に平行な中心線とが、同一線上に位置してなる光ディスク装置を提供するものである。
【発明の効果】
【０００７】
本発明にかかる光ディスク装置は、調整ネジの軸芯と、ガイド軸の軸芯に対し垂直な断面の中心と、付勢部材の付勢方向に平行な中心線とを同一線上に位置させたため、前記ガイド軸にモーメントが働くことがない。したがって、前記ガイド軸に不要な付加がかかることがなく、高精度なスキュー調整を行うことができる。また、シャーシに質量を付加する質量付加用部材に、前記調整ネジが螺合する雌ネジを形成したため、当該調整ネジが螺合する雌ネジを形成するための部材を別途設ける必要がなく、部品数の増加を抑制でき、小型化を達成することができる。
【発明を実施するための最良の形態】
【０００８】
次に、本発明の好適な実施の形態にかかる光ディスク装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【０００９】
図１は、本発明の実施の形態にかかる光ディスク装置の斜視図、図２は、図１に示す光ディスク装置の主要部分の構成を示す斜視図、図３は、図１に示す光ディスク装置の分解斜視図、図４は、ガイド軸を介してピックアップが取付けられたシャーシの斜視図、図５は、図４に示すＶ−Ｖ線に沿った断面図、図６は、図２に示すVI−VI線に沿って破断した図、図７は、図４に示すVII−VII線に沿った断面図、図８は、図７の一部を拡大して示す図、図９は、図６の一部を拡大して示す図、図１０は、図４に示すＸ−Ｘ線に沿った断面を拡大して示す図である。
【００１０】
なお、上記各図では、各部材の厚さやサイズ、拡大・縮小率等は、説明を判りやすくするため、実際のものとは一致させずに記載した。また、本実施の形態では、光ディスクの挿入・排出口がある側を「前」、これと反対側を「後」として説明する。
【００１１】
図１〜図１０に示すように、本発明の実施の形態にかかる光ディスク装置１は、光ディスクに記録／再生の為の処理を行う処理機構５０を内部に収納する箱状の筐体１０と、この筐体１０の前面の開放端を塞ぐフロントベゼル２０と、光ディスクを処理機構５０に対しに挿入し、あるいは光ディスクを処理機構５０から排出するためのトレイ３０と、を備えて構成されている。なお、処理機構５０は、主に、光ピックアップ６８を中心とする記録・再生機構と、この記録・再生機構に対して光ディスクの搬入・排出を行う光ディスク駆動機構とからなる。
【００１２】
筐体１０は、ベース１１と、天板１２Ａと側板１２Ｂ及び１２Ｃとが一体成型によって形成された金属製のカバー１２と、ベース１１とカバー１２との間に形成される空間に収納され、処理機構５０が固定されるメカベース１３と、を備えている。天板１２Ａの裏面には、メカベース１３に取付けられた後述するシャーシ６０に配設されたターンテーブル６１と共に、光ディスクを挟持するディスククランプ１４が配設されている。なお、符号１６は、ディスククランプ１４を覆うカバーである。
【００１３】
メカベース１３は、その後端の両側に、後に詳述するシャーシ６０に形成された取付穴６２Ａ及び６２Ｂが挿入される円柱部材１７Ａ及び１７Ｂが形成されている。この円柱部材１７Ａ及び１７Ｂには、ブッシュ１８Ａ及び１８Ｂが各々挿入される。このブッシュ１８Ａ及び１８Ｂは、後に詳述するが、シャーシ６０の揺動を補助するための部材である。
【００１４】
フロントベゼル２０には、後に詳述するトレイ３０を筐体１０の内部に挿入及び排出されるための開口２１が形成されている。また、このフロントベゼル２０の左右の両端部には、筐体１０側に向かって突出する短冊状の小片２２Ａ及び２２Ｂが設けられている。この小片２２Ａ及び２２Ｂの先端には、側板１２Ｂ及び１２Ｃのフロントベゼル２０側に形成された開口部１５Ａ及び１５Ｂに各々係合する爪２３Ａ及び２３Ｂが、それぞれ形成されている。そして、爪２３Ａ及び２３Ｂが、開口部１５Ａ及び１５Ｂに各々係合することによって、筐体１０にフロントベゼル２０が取付けられている。
【００１５】
トレイ３０は、フロントベゼル２０の開口２１を介して、矢印Ｘに沿った方向で、筐体１０の内部に収納された処理機構５０に対し進退移動を行う。このトレイ３０の進退移動は、前述した光ディスク駆動機構の構成要素であり、メカベース１３の前端部に配設されたトレイ駆動部４０によって行なわれる。このトレイ３０は、光ディスクが載置されるプレート３１と、フロントベゼル２０の開口２１を覆う正面パネル３２を有している。なお、符号３３は、プレート３１に形成された開口である。
【００１６】
また、このトレイ３０には、トレイ３０が筐体１０内に進入し、後に詳述するように、シャーシ６０がトレイ３０のプレート３１に載置された光ディスクに接近する方向に揺動した際に、シャーシ６０に配設されているスキュー調整用の調整ネジ７６及び７７と対向する位置に、調整ネジ７６及び７７を受領するための穴３６及び３７が貫通形成されている。この穴３６及び３７は、筐体１０内に進入したトレイ３０と、光ディスクに接近する方向に揺動したシャーシ６０の調整ネジ７６及び７７とが干渉することを避けるために形成されている。
【００１７】
トレイ駆動部４０は、図示しないモータの回転軸に取付けられた第１プーリ４１と、第１プーリ４１の回転がベルトによって伝達される第２プーリ４２と、第２プーリ４２によって回転する中間ギヤ４３と、中間ギヤ４３によって回転し、トレイ３０に形成された図示しないラックと噛合するピニオン４４からなる。したがって、図示しない電子回路がモータの回転方向を制御することによってトレイ３０を前述した記録・再生機構に対して進退させる。
【００１８】
また、メカベース１３のトレイ３０が挿入される位置よりもベース１１側には、前述した記録・再生機構が配設されるシャーシ６０が取付けられている。このシャーシ６０の前端部には、光ディスクを回転可能に支持するターンテーブル６１が配設されている。そして、このターンテーブル６１と、天板１２Ａの裏面に設けられたディスククランプ１４との間に光ディスクがチャッキングされる。
【００１９】
シャーシ６０の後端部両側には、メカベース１３に設けられた円柱部材１７Ａ及び１７Ｂに挿入される取付穴６２Ａ及び６２Ｂが形成されている。このシャーシ６０は、ブッシュ１８Ａ及び１８Ｂが各々挿入された円柱部材１７Ａ及び１７Ｂに挿入され、ここを支点として、トレイ３０のプレート３１に載置された光ディスクに接近する方向及び離れる方向に揺動可能となっている。
【００２０】
一方、シャーシ６０の前端には、シャーシ６０の揺動を行う揺動部材６４が取付けられている。この揺動部材６４は略コ字状を有し、その両先端部の外側には、揺動部材６４をメカベース１３の側壁に揺動可能に取り付けるための軸部６７Ａ及び６７Ｂが設けられている。この揺動部材６４は、トレイ３０が筐体１０内に進入して所定の位置にきた到達した際に、軸部６７Ａ及び６７Ｂを支点としてトレイ３０に近づく方向に揺動し、トレイ３０が排出される際には、軸部６７Ａ及び６７Ｂを支点としてトレイ３０から離れる方向に揺動するようになっている。この動作によって、揺動部材６４が取付けられたシャーシ６０も円柱部材１７Ａ及び１７Ｂに挿入された取付穴６２Ａ及び６２Ｂが位置する後端を中心として、同様の揺動を行う。シャーシ６０がトレイ３０に近づく方向に揺動する際、ブッシュ１８Ａ及び１８Ｂには、シャーシ６０の後端をベース１１に近づける力がかかり、ブッシュ１８Ａ及び１８Ｂは、弾性変形により縮む。一方、シャーシ６０がトレイ３０から離れる方向に揺動する際には、ブッシュ１８Ａ及び１８Ｂが前記力から解放され、その弾性復元力によってシャーシ６０をカバー１２側に付勢して元の形状に戻る。
【００２１】
なお、光ディスクがプレート３１に載置された後、トレイ３０が筐体１０内に進入すると、シャーシ６０がトレイ３０に近づく方向に揺動し、ターンテーブル６１が開口３３を超えて上方に移動してトレイ３０に載置された光ディスクを持ち上げる。次いで、天板１２Ａの裏面にあるディスククランプ１４が光ディスクをターンテーブル６１に回転自在に固定する。
【００２２】
また、シャーシ６０の略中央部分には、前述した記録・再生機構が配置されるための開口６５が形成されている。この開口６５の幅方向両側には、光ピックアップ６８を支持すると共に、光ピックアップ６８の移動をガイドするガイド軸７０Ａ及び７０Ｂが各々配設されている。このガイド軸７０Ａの前端７１は、この前端７１を支点としてガイド軸７０Ａが揺動可能となるようにシャーシ６０に固定されている。一方、シャーシ６０の、ガイド軸７０Ａの後端７２が配設される位置には、特に図８〜１０に詳細に示すように、ガイド軸７０Ａの後端７２と、この後端７２をガイド軸７０Ａの軸芯方向に対し略垂直な方向に付勢するコイルバネ８１とを収容するブラケット８２が配設されている。このブラケット８２は、ガイド軸７０Ａの後端７２と、コイルバネ８１を収容する収容空間が形成されたブラケット本体８３Ａと、ブラケット本体８３Ａの収容空間を覆うカバー８３Ｂを備えている。
【００２３】
ブラケット本体８３Ａに形成された収容空間は、コイルバネ８１の外径よりも若干大きな内径を有しているが、コイルバネ８１が、コイルバネ８１の軸芯方向に弾性変形するよう、コイルバネ８１の姿勢を維持できるサイズとなっている。また、ブラケット本体８３Ａは、カバー８３Ｂが配設される側とは反対側の端部が、シャーシ６０に形成された貫通穴６６内に挿入されている。このブラケット８２は、ネジ６９によってシャーシ６０に固定されている。
【００２４】
カバー８３Ｂには、コイルバネ８１に係合して、コイルバネ８１をカバー８３Ｂに係止するためのフック８５が、ブラケット本体８３Ａに向けて突出形成されている。このフック８５は、組立工程中に、コイルバネ８１が紛失する等を防止することができる。また、ブラケット本体８３Ａに対し、カバー８３Ｂを上から被せて組み立てる際には、コイルバネ８１が落下することを防止する役割も果たしている。このコイルバネ８１は、特に図１０に示すように、ガイド軸７０Ａの径方向断面の中心Ｏと、コイルバネ８１の中心線（軸芯）が、同一線Ｌ上に位置するように配設されている。
【００２５】
なお、シャーシ６０には、ガイド軸７０Ｂの後端７３及び前端７４が配置される位置にも、同様のブラケット８２が各々配設されており、ガイド軸７０Ｂの後端７３が配置される位置に配設されたブラケット８２内には、この後端７３とコイルバネ８１が、前記と同様に収容されており、ガイド軸７０Ｂの前端７４が配置される位置に配設されたブラケット８２内には、この前端７４とコイルバネ８１が、前記と同様に収容されている。
【００２６】
また、シャーシ６０の後端部であって、２つの貫通穴６６が形成された領域を含む部分には、シャーシ６０に質量を付加する質量付加用部材（ウエイト部材）９０が配設されている。この質量付加用部材９０の貫通穴６６と対向する部分には、貫通穴６６と略同一の径を有する第１の穴９１と、第１の穴９１に連通すると共に、第１の穴９１よりも小さな径を有する雌ネジ９２が、シャーシ６０側から順に各々形成されている。この雌ネジ９２は、スキュー調整用の調整ネジ７６（７７）が各々螺合した際に、特に図１０に示すように、ガイド軸７０Ａ（７０Ｂ）の径方向断面の中心Ｏと、コイルバネ８１の中心線（軸芯）と、調整ネジ７６（７７）の軸芯とが、同一線Ｌ上に位置するように配設されている。そして、この調整ネジ７６及び７７は、ガイド軸７０Ａ及び７０Ｂの後端７２及び７３に当接しており、締まる方向に回転した際に、第１の穴９１を経て、ブラケット８２の収容空間に対し進入して、ガイド軸７０Ａ及び７０Ｂの後端７２及び７３を、コイルバネ８１の付勢力に抗して、ベース１１側に向けて押圧する。一方、調整ネジ７６及び７７を緩む方向（前記締まる方向とは逆の方向）に回転した際には、後端７２及び７３がコイルバネ８１の付勢力によって、天板１２Ａに向けて押圧され、この方向に揺動（移動）する。この時、後端７２及び７３は、質量付加用部材９０に形成された第１の穴９１に進入することもできる。この動作によって、コイルバネ８１の付勢力が調整され、ガイド軸７０Ａ及び７０Ｂの傾きが変更される。
【００２７】
ここで、雌ネジ９２に螺合された調整ネジ７６（７７）を時計方向または反時計方向（締まる方向または緩む方向）に回転させ、調整ネジ７６（７７）をガイド軸７０Ａ（７０Ｂ）に対し近づける方向または離れる方向に移動させることで、ガイド軸７０Ａ（７０Ｂ）の傾きを変更するには、調整ネジ７６（７７）は、その軸芯方向に対し所定の移動距離（絞り高さ）を確保する必要がある。例えば、図８に示す例の場合、調整ネジ７６（７７）の移動距離（ＬT）は、シャーシ６０の厚さ（ＬS）よりも長いため、この部分のシャーシ６０の厚さ（ＬS）を厚くするか、あるいは、この部分に、前記移動距離（ＬT）を確保するための追加部材を配設する必要がある。前者の場合は、必要な移動距離（ＬT）がシャーシ６０の厚さ（ＬS）を大幅に超えているため、プレス加工等で対応することが困難である。一方、後者の場合は、追加部材を別途用意する必要があり、手間がかかると共に部品点数が増加してしまう。本発明では、シャーシ６０に質量を付加し、シャーシ６０の振動を抑制する目的でシャーシ６０に通常設けられる質量付加用部材９０を利用し、調整ネジ７６（７７）の移動距離（ＬT）を確保すべき領域に、この質量付加用部材９０を配設し、この質量付加用部材９０に雌ネジ９２を形成することで、前記移動距離（ＬT）を確保している。したがって、シャーシ６０は通常行われているプレス加工等によって製造でき、且つ追加部材を別途用意する必要もない。なお、図８に示す符号ＬMは、調整ネジ７６（７７）の調整代である。
【００２８】
また、シャーシ６０のガイド軸７０Ｂの前端７４が配設される位置には、スキュー調整用の調整ネジ７８が螺合される雌ネジ９２を形成するための凸部９４が設けられている。この調整ネジ７８も、前述した調整ネジ７６及び７７と同様に、ガイド軸７０Ｂの径方向断面の中心Ｏと、コイルバネ８１の中心線（軸芯）と、調整ネジ７８の軸芯とが、同一線Ｌ上に位置するように配設されている。そして、調整ネジ７６及び７７と同様に、コイルバネ８１の付勢力が調整し、ガイド軸７０Ｂの傾きを変更する。
【００２９】
この調整ネジ７６及び７７は、ガイド軸７０Ａ及び７０Ｂのスキュー調整によっては、特に図８〜図１０に示すように、調整ネジ７６及び７７の上部がシャーシ６０の上面から突出していることがある。このような場合であっても、トレイ３０が筐体１０内に進入した際に、調整ネジ７６及び７７がトレイ３０に形成された穴３６及び３７に各々進入するため、トレイ３０と、調整ネジ７６及び７７とが干渉することがない。
【００３０】
ガイド軸７０Ａ及び７０Ｂには、光学ユニットとしての光ピックアップ６８が、移動可能に配設されている。この光ピックアップ６８は、シャーシ６０に形成された開口６５を介して、光ディスクの記録面に臨みながらガイド軸７０Ａ及び７０Ｂに沿って移動し、トレイ３０のプレート３１に載置された光ディスクに対してレーザー光を照射する。すなわち、光ピックアップ６８は、光ディスクの内周側の情報記録初期位置から、外周側に向かって半径方向に移動する。この時、光ディスクの情報記録面と、光ピックアップ６８の間隔は、光ピックアップ６８の位置に係わらず常に所定の寸法を維持させる必要がある。このため、コイルバネ８１と、調整ネジ７６、７７及び７８によって、ガイド軸７０Ａ及び７０Ｂの傾きが最適になるように調整するスキュー調整が行われる。
【００３１】
このスキュー調整は、先ず、調整ネジ７６を回転させ、ガイド軸７０Ａの前端７１を支点として後端７２を所定量で揺動させ、ガイド軸７０Ａの傾きを調整する。次に、調整ネジ７７及び７８を回転させ、ガイド軸７０Ｂ自身の傾きと、ガイド軸７０Ａに対する高さを調整する。この一連の調整は、各装置毎に予め設定されている値に基づいて行われる。
【００３２】
なお、ベース１１とメカベース１３との間には、図示しない回路基板が設けられている。この回路基板は、ターンテーブル６１を回転制御する電子部品と、トレイの駆動部４０を制御する電子部品と、光ピックアップ６８の移動や、再生/記録を制御する電子部品とを備えている。
【００３３】
なお、本実施の形態では、トレイ３０に、調整ネジ７６及び７７との干渉を避けるために穴３６及び３７を形成した場合について説明したが、これに限らず、調整ネジ７６及び７７との干渉を避けることができれば、穴３６及び３７に代えて凹部を形成してもよい。
【００３４】
また、本実施の形態では、コイルバネ８１を係止する係止部材として、カバー８３Ｂにフック８５を設けた場合について説明したが、これに限らず、係止部材は、コイルバネ８１に係合して係止することが可能であれば、他の構成を備えていてもよい。
【００３５】
そしてまた、本実施の形態では、付勢部材としてコイルバネ８１を使用した場合について説明したが、これに限らず、付勢部材は、調整ネジ７６〜７８の雌ネジ９２との螺合に応じてガイド軸７０Ａ及び７０Ｂを付勢することが可能であれば、例えば、渦巻きバネ、皿バネ、ゴム等の弾性部材等、所望により選択することができる。
【図面の簡単な説明】
【００３６】
【図１】本発明の実施の形態にかかる光ディスク装置の斜視図である。
【図２】図１に示す光ディスク装置の主要部分の構成を示す斜視図である。
【図３】図１に示す光ディスク装置の分解斜視図である。
【図４】ガイド軸を介してピックアップが取付けられたシャーシの斜視図である。
【図５】図４に示すＶ−Ｖ線に沿った断面図である。
【図６】図２に示すVI−VI線に沿って破断した図である。
【図７】図４に示すVII−VII線に沿った断面図である。
【図８】図７の一部を拡大して示す図である。
【図９】図６の一部を拡大して示す図である。
【図１０】図４に示すＸ−Ｘ線に沿った断面を拡大して示す図である。
【符号の説明】
【００３７】
１…光ディスク装置、  １０…筐体、  ３０…トレイ、  ５０…処理機構、  ６０…シャーシ、  ６８…光ピックアップ、  ７０Ａ、７０Ｂ…ガイド軸、  ７６、７７、７８…調整ネジ、  ８１…コイルバネ、  ８２…ブラケット、  ８５…フック、  ９０…質量付加用部材
【図１】
2008210478.tif 000003
【図２】
2008210478.tif 000004
【図３】
2008210478.tif 000005
【図４】
2008210478.tif 000006
【図５】
2008210478.tif 000007
【図６】
2008210478.tif 000008
【図７】
2008210478.tif 000009
【図８】
2008210478.tif 000010
【図９】
2008210478.tif 000011
【図１０】
2008210478.tif 000012